(57)【要約】【課題】本発明は、第１方式のネットワークまたは第２方式のネットワークに第２方式または第１方式のノード装置を縦続接続して網同期を確立することができる同期網確立方法及びその装置を提供することを目的とする。【解決手段】同期網を確立するために用いる同期状態指示コードが互いに異なる第１方式のノード装置と第２方式のノード装置とが混在するネットワークの同期網確立方法であって、異なる方式の隣接するノード装置から供給される同期状態指示コードを自装置の方式の同期状態指示コードに変換して同期網確立を行うことにより、第１方式のネットワークまたは第２方式のネットワークに第２方式のノード装置または第１方式のノード装置を縦続接続して網同期を確立することができる。【選択図】    図１４
2004194067.tif 000002
【特許請求の範囲】
【請求項１】
同期網を確立するために用いる同期状態指示コードが互いに異なる第１方式のノード装置と第２方式のノード装置とが混在するネットワークの同期網確立方法であって、
異なる方式の隣接するノード装置から供給される同期状態指示コードを自装置の方式の同期状態指示コードに変換して同期網確立を行う
ことを特徴とする同期網確立方法。
【請求項２】
同期網を確立するために用いる同期状態指示コードが互いに異なる第１方式または第２方式のノード装置と接続される第２方式または第１方式のノード装置であって、
前記第１または第２方式のノード装置から供給される同期状態指示コードを自装置の方式の同期状態指示コードに変換する同期状態指示コード変換手段を
有することを特徴とするノード装置。
【請求項３】
請求項２記載のノード装置において、
前記第１または第２方式のノード装置から供給される同期状態指示コードと前記同期状態指示コード変換手段から供給される変換された同期状態指示コードとのいずれか一方を選択する選択手段を
有することを特徴とするノード装置。
【請求項４】
請求項３記載のノード装置において、
前記選択手段は、切り替え指示信号に従って切り替えを行うことを特徴とするノード装置。
【請求項５】
請求項３記載のノード装置において、
前記選択手段の切り替え指示を行うスイッチ手段を
有することを特徴とするノード装置。
【発明の詳細な説明】
【０００１】
【発明の属する技術分野】
本発明は、同期網確立方法及びその装置に関し、特に、ＳＯＮＥＴ装置とＳＤＨ装置間で同期を確立する同期網確立方法及びその装置に関する。
【０００２】
【従来の技術】
ＳＤＨ（Ｓｙｎｃｈｒｏｎｏｕｓ  Ｄｉｇｉｔａｌ  Ｈｉｅｒａｒｃｈｙ）またはＳＯＮＥＴ（Ｓｙｎｃｈｒｏｎｏｕｓ  Ｏｐｔｉｃａｌ  Ｎｅｔｗｏｒｋ）のネットワークでは、同期網を常時確立させておくことが大変重要な要素となる。そのためＳＤＨまたはＳＯＮＥＴネットワークではマスタクロックの障害や同期を伝達している回線の障害等で同期網が寸断されないような工夫がされている。
【０００３】
図１は、基本的なＳＤＨネットワークの構築例を示す。ＳＤＨネットワークでは通常マスタクロックをプライマリ，セカンダリそれぞれの位置づけをした２台を設ける。これはネットワークのマスタクロックに冗長を持たせるためである。このマスタクロックからの出力が直接入力されるノード（ＮＥ：ＮｅｔｗｏｒｋＥｌｅｍｅｎｔ）を同期系のＧＮＥ（Ｇａｔｅｗａｙ  Ｎｅｔｗｏｒｋ  Ｅｌｅｍｅｎｔ）と呼ぶ。
【０００４】
図１では、ノードＮＥ１がＧＮＥとなる。各ノードＮＥ１〜ＮＥ４には自装置が同期するためのタイミングソースを選択する機能がある。各ノードＮＥ１〜ＮＥ４が持っているタイミングソース選択機能は、通常複数のタイミングソースを選択でき、その複数選択したタイミングソースに優先度（プライオリティ）を設定する。
【０００５】
優先度付けされた各タイミングソースは品質を常時監視され、その中で品質が最も高いタイミングソースが選択される。もし、２つ以上同じ品質のタイミングソースが存在した場合には優先度の高い方のタイミングソースを選択する。また、現在選択中のタイミングソースの品質が低下した場合、次に品質の高いタイミングソースに自動的に切り替えが行われる。
【０００６】
タイミングソースの品質の伝達はＳＴＭ−ｎ（Ｓｙｎｃｈｒｏｎｏｕｓ  Ｔｒａｎｓｆｅｒ  Ｍｏｄｕｌｅ  Ｌｅｖｅｌ−ｎ）の伝送路の場合、ＭＳＯＨ（Ｍｕｌｔｉｐｌｅｘ  Ｓｅｃｔｉｏｎ  Ｏｖｅｒ  Ｈｅａｄ）内のＳ１バイトの下位４ｂｉｔに付加されてくるＳＳＭ（Ｓｙｎｃｈｒｏｎｉｚａｔｉｏｎ  Ｓｔａｔｕｓ  Ｍｅｓｓａｇｅ）コードが用いられる。
【０００７】
図１ではノードＮＥ１は同期系のＧＮＥであるから、当然マスタクロックＰ（Ｐｒｉｍａｒｙ）からの外部クロック入力Ａをプライオリティ１のタイミングソースとして選択する。さらに、マスタクロックＰからの外部クロック入力Ａの品質が低下した場合、マスタクロックＳ（Ｓｅｃｏｎｄａｒｙ）に同期したクロックを貰わなければならないので、伝送路Ｇをプライオリティ２のタイミングソースとして選択する。
【０００８】
ノードＮＥ２はノードＮＥ１からマスタクロックＰに同期したクロックを貰わなければならないので伝送路Ｂをプライオリティ１のタイミングソースとして選択する。さらに、伝送路Ｂの品質が低下した場合、マスタクロックＳに同期したクロックを貰わなければならないので、伝送路Ｆをプライオリティ２のタイミングソースとして選択する。ノードＮＥ３はノードＮＥ２からマスタクロックＰに同期したクロックを貰わなければならないので伝送路Ｃをプライオリティ１のタイミングソースとして選択する。さらに、伝送路Ｃの品質が低下した場合、マスタクロックＳに同期したクロックを貰わなければならないので、伝送路Ｅをプライオリティ２のタイミングソースとして選択する。
【０００９】
ノードＮＥ４はノードＮＥ３からマスタクロックＰに同期したクロックを貰わなければならないので伝送路Ｄをプライオリティ１のタイミングソースとして選択する。さらに、伝送路Ｃの品質が低下した場合、マスタクロックＳに同期したクロックを貰わなければならないので、マスタクロックＳからの外部入力Ｈをプライオリティ２のタイミングソースとして選択する。このようにして同期網は確立される。
【００１０】
上記構成の同期ネットワークにおいて、マスタクロックＰの品質が低下し、各ＮＥのタイミングソース切り替えが発生し、ＳＤＨネットワークがマスタクロックＳに同期した場合は、図２に示すように、ノードＮＥ１，ＮＥ２，ＮＥ３，ＮＥ４それぞれは伝送路Ｇ，Ｆ，Ｅ，Ｈをプライオリティ１のタイミングソースとして選択する。また、伝送路Ｃの品質が低下してノードＮＥ２とノードＮＥ３のみにタイミングソースの切り替えが発生した場合は、図３に示すように、ノードＮＥ３は伝送路Ｅをプライオリティ１のタイミングソースとして選択する。
【００１１】
以上のようにＳＤＨまたはＳＯＮＥＴの同期ネットワークではマスタクロックの障害や同期を伝達している回線の障害等で同期網が寸断されないような対策が施されている。
【００１２】
近年、グローバルキャリヤと呼ばれる顧客が主流になってきており、各国を介するようなネットワークが増えている（例えば、特許文献１参照）。そうすると自然にＳＤＨのノード装置（ＳＤＨ装置）とＳＯＮＥＴのノード装置（ＳＯＮＥＴ装置）が同じネットワークに混在する場合が増えてくる。近年のノード装置はＳＤＨとＳＯＮＥＴが混在するネットワークを視野に入れて設計してあるので主信号やアラームの検出などは問題無く行えるようになっている。
【００１３】
しかしながら同期系に関してはＳＤＨ装置／ＳＯＮＥＴ装置でＳＳＭコードに対する定義が違うのでうまく接続できていないのが現状である。図４にＳＤＨとＳＯＮＥＴそれぞれのＳＳＭコードの定義を示す。
【００１４】
従来は、ＳＳＭコードを使用したＳＤＨとＳＯＮＥＴが混在する同期網は構築できておらず、ＳＳＭディスエーブル機能もしくはアシュームドＳＳＭ機能しか用いていなかった。ＳＳＭディスエーブル機能は、図５（Ａ）に概略を示すように、ＳＳＭを用いずにタイミングソースの断のみを検出して切り替える機能である。また、アシュームドＳＳＭ機能は、図５（Ｂ）に概略を示すように、受信ＳＳＭを任意のＳＳＭ値（固定値）に書き換える機能である。
【００１５】
【特許文献１】
特許第３００３９４８号公報
【００１６】
【発明が解決しようとする課題】
ＳＤＨネットワークにＳＯＮＥＴ装置が混在した例を図６に示す。同図中、ノードＮＥ１，ＮＥ２，ＮＥ４がＳＤＨ装置で、ノードＮＥ３がＳＯＮＥＴ装置である。この場合、ノードＮＥ１では外部クロック入力Ａから送信されてくるＳＳＭコードは［００１０］で図４に基づきＱＬ−ＰＲＣと判断し、伝送路Ｇから送信されてくるＳＳＭコードは［１１１１］でＱＬ−ＤＮＵと判断するので、品質の高いプライオリティ１のタイミングソース（外部クロック入力Ａ）を選択する。
【００１７】
ノードＮＥ２では伝送路Ｂから送信されてくるＳＳＭコードは［００１０］でＱＬ−ＰＲＣと判断し、伝送路Ｆから送信されてくるＳＳＭコードは［１１００］でＱＬ−ＩＮＶ１２と判断するので、品質の高いプライオリティ１のタイミングソース（伝送路Ｂ側）を選択する。ノードＮＥ３では伝送路Ｃから送信されてくるＳＳＭコードは［００１０］でＱＬ−ＩＮＶ２と判断し、伝送路Ｅ）から送信されてくるＳＳＭコードも［００１０］でＱＬ−ＩＮＶ２と判断するので選択可能なタイミングソースが無くなり、インターナルクロックもしくはホールドオーバーで使用せざるをえない。
【００１８】
ノードＮＥ４では伝送路Ｄから送信されてくるＳＳＭコードは［１１００］でＱＬ−ＩＮＶ１２と判断し、外部クロック入力Ｈから送信されてくるＳＳＭコードは［００１０］でＱＬ−ＰＲＣと判断するの、で品質の高いプライオリティ２のタイミングソースを選択する。以上のような動作となりＳＳＭコードに対する定義が違うため、ＳＯＮＥＴ装置はＳＤＨネットワークにうまく縦続接続できないという問題があった。もちろん、その逆にＳＯＮＥＴネットワークにＳＤＨ装置が混在した場合も同様にうまく縦続接続できないという問題があった。
【００１９】
本発明は、上記の点に鑑みなされたものであり、第１方式のネットワークまたは第２方式のネットワークに第２方式または第１方式のノード装置を縦続接続して網同期を確立することができる同期網確立方法及びその装置を提供することを目的とする。
【００２０】
【課題を解決するための手段】
請求項１に記載の発明は、同期網を確立するために用いる同期状態指示コードが互いに異なる第１方式のノード装置と第２方式のノード装置とが混在するネットワークの同期網確立方法であって、
異なる方式の隣接するノード装置から供給される同期状態指示コードを自装置の方式の同期状態指示コードに変換して同期網確立を行うことにより、
第１方式のネットワークまたは第２方式のネットワークに第２方式のノード装置または第１方式のノード装置を縦続接続して網同期を確立することができる。
【００２１】
請求項２に記載の発明は、同期網を確立するために用いる同期状態指示コードが互いに異なる第１方式または第２方式のノード装置と接続される第２方式または第１方式のノード装置であって、
前記第１または第２方式のノード装置から供給される同期状態指示コードを自装置の方式の同期状態指示コードに変換する同期状態指示コード変換手段を有することにより、
第１方式のネットワークまたは第２方式のネットワークに第２方式または第１方式のノード装置を縦続接続して網同期を確立することができる。
【００２２】
請求項３に記載の発明は、第１または第２方式のノード装置から供給される同期状態指示コードと前記同期状態指示コード変換手段から供給される変換された同期状態指示コードとのいずれか一方を選択する選択手段を有することにより、第１方式のノード装置と第２方式のノード装置のいずれにも使用することができる。
【００２３】
【発明の実施の形態】
以下、本発明の実施例を図面に基づいて説明する。
【００２４】
既に述べた通り、ＳＤＨ装置とＳＯＮＥＴ装置で同期網が構築できないのは、ＳＤＨ，ＳＯＮＥＴそれぞれでＳＳＭコードに対する定義が違うからである。この定義をうまく変換できれば同期網の構築が可能となる。
【００２５】
図７は、ＩＴＵ−Ｔ  Ｇ．７８１規格に記載されているＳＤＨ，ＳＯＮＥＴのＳＳＭコードの品質順位を示す。ちなみにＱＬ値（ＱＬ−Ｖａｌｕｅ）は装置内でＱＬレベル（ＱＬ−Ｌｅｖｅｌ）を扱いやすくするために、各ＱＬレベルに割り当てた数字であり、値が小さいほど品質が高い。
【００２６】
ＳＤＨとＳＯＮＥＴのＳＳＭコードに割り付けられているＱＬレベルの意味合いは、同じ物もあれば違うものもある。しかしながら違う物は全く違う訳では無く、仕様としては近い関係ではある。そこで、類似しているもの同士を変換させることで違和感無く同期網の構築を実現させる。
【００２７】
本発明では、ＳＤＨとＳＯＮＥＴで仕様が類似しているものＱＬレベル同士をＳｔｒａｔｕｍ１／Ｓｔｒａｔｕｍ２／Ｓｔｒａｔｕｍ３／Ｓｔｒａｔｕｍ４／未使用（Ｄｏ  ｎｏｔ  ｕｓｅ）という５グループにまとめる。
【００２８】
図８は、本発明の品質レベルのグルーピングの一実施例を示す。ＳＤＨのＱＬ−ＰＲＣとＳＯＮＥＴのＱＬ−ＰＲＳ／ＱＬ−ＳＴＵはＳｔｒａｔｕｍ１、ＳＤＨのＱＬ−ＳＳＵ−ＡとＳＯＮＥＴのＱＬ−ＳＴ２／ＱＬ−ＴＮＣはＳｔｒａｔｕｍ２、ＳＤＨのＱＬ−ＳＳＵ−ＢとＳＯＮＥＴのＱＬ−ＳＴ３／ＱＬ−ＳＴ３ＥをＳｔｒａｔｕｍ３、ＳＤＨのＱＬ−ＳＥＣとＳＯＮＥＴのＱＬ−ＳＭＣ／ＱＬ−ＰＲＯＶをＳｔｒａｔｕｍ４とする。各ノードは、このグルーピングに従ってＱＬ−レベルの変換を行う。
【００２９】
図９に、ＳＤＨ装置からＳＯＮＥＴ装置を介しＳＤＨ装置に至る変換機能のイメージを示し、図１０に、ＳＯＮＥＴ装置からＳＤＨ装置を介しＳＯＮＥＴ装置に至る変換機能のイメージを示す。
【００３０】
次に、ＳＤＨ／ＳＯＮＥＴ混在の同期網においてＳＤＨ／ＳＯＮＥＴのＳＳＭコードの変換がどのように行われるかを説明する。
【００３１】
図１１は、ＳＤＨネットワークにＳＯＮＥＴ装置（ＮＥ３）が混在した場合のＳＳＭ変換を説明するための図を示す。同図中、ＳＯＮＥＴ装置（ＮＥ３）及びＳＯＮＥＴ装置（ＮＥ３）に隣り合うＳＤＨ装置（ＮＥ２，ＮＥ４）にＳＳＭ変換機能を持たせる。
【００３２】
同期系のＧＮＥであるノードＮＥ１はマスタクロックＰからの外部クロック入力Ａから受信したＳＳＭコード＝００１０（ＱＬ−ＰＲＣ）と伝送路Ｇから受信したＳＳＭコード＝１１１１（ＱＬ−ＤＮＵ）を比較し、品質の高い外部クロック入力Ａをタイミングソースとして選択する。この時、伝送路Ｂには選択中のタイミングソースのＳＳＭコードであるＳＳＭコード＝００１０（ＱＬ−ＰＲＣ）を送信する。
【００３３】
ノードＮＥ２では伝送路Ｂから受信したＳＳＭコード＝００１０（ＱＬ−ＰＲＣ）と伝送路Ｆから受信したＳＳＭコード＝１１１１（ＱＬ−ＤＮＵ）を比較し、品質の高い伝送路Ｂをタイミングソースとして選択する。この時、伝送路Ｃには選択中のタイミングソースのＳＳＭコードであるＳＳＭコード＝００１０（ＱＬ−ＰＲＣ）を送信し、伝送路Ｇにはタイミングループを防ぐため、ＳＳＭコード＝１１１１（ＱＬ−ＤＮＵ）を送信する。
【００３４】
ノードＮＥ３では伝送路Ｃから受信したＳＳＭコード＝００１０（ＱＬ−ＩＮＶ２）をＳＳＭコード＝０００１（ＱＬ−ＰＲＳ）に変換した値と、伝送路Ｅから受信したＳＳＭコード＝１１１１（ＱＬ−ＤＵＳ）とを比較し、品質の高い伝送路Ｃをタイミングソースとして選択する。この時、伝送路Ｄには選択中のタイミングソースのＳＳＭコードであるＳＳＭコード＝０００１（ＱＬ−ＰＲＳ）を送信し、伝送路Ｇにはタイミングループを防ぐためＳＳＭコード＝１１１１（ＱＬ−ＤＵＳ）を送信する。
【００３５】
ノードＮＥ４では伝送路Ｄから受信したＳＳＭコード＝０００１（ＱＬ−ＩＮＶ１）をＳＳＭコード＝００１０（ＱＬ−ＰＲＣ）に変換した値と、マスタクロックＳからの外部クロック入力Ｈから受信したＳＳＭコード＝００１０（ＱＬ−ＰＲＣ）とを比較し、クオリティレベルが同じである為、プライオリティ設定の高い伝送路Ｄをタイミングソースとして選択する。この時、伝送路Ｅにはタイミングループを防ぐためＳＳＭコード＝１１１１（ＱＬ−ＤＵＳ）を送信する。
【００３６】
図１２は、マスタクロックＰに障害が発生しタイミングソースが切り替わる途中のＳＳＭ変換を説明するための図を示す。同図中、ノードＮＥ１はマスタクロックＰからの外部クロック入力Ａから受信したＳＳＭコード＝１１１１（ＱＬ−ＤＮＵ）と伝送路Ｇから受信したＳＳＭコード＝１１１１（ＱＬ−ＤＮＵ）を比較し、選択可能なタイミングソースが無くなったことを認識し、ホールドオーバーに移行する。この時、伝送路ＢにはホールドオーバーのＳＳＭコードであるＳＳＭコード＝１１０１（ＱＬ−ＳＥＣ）を送信する。
【００３７】
ノードＮＥ２では伝送路Ｂから受信したＳＳＭコード＝１１０１（ＱＬ−ＳＥＣ）と伝送路Ｆから受信したＳＳＭコード＝１１１１（ＱＬ−ＤＮＵ）を比較し、品質の高い伝送路Ｂをタイミングソースとして選択する。この時、伝送路Ｃには選択中のタイミングソースのＳＳＭコードであるＳＳＭコード＝１０１１（ＱＬ−ＳＥＣ）を送信し、伝送路Ｇにはタイミングループを防ぐためＳＳＭコード＝１１１１（ＱＬ−ＤＮＵ）を送信する。
【００３８】
ノードＮＥ３では伝送路Ｃから受信したＳＳＭコード＝１０１１（ＱＬ−ＩＮＶ１１）をＳＳＭコード＝１１００（ＱＬ−ＳＭＣ）に変換した値と、伝送路Ｅから受信したＳＳＭコード＝１１１１（ＱＬ−ＤＵＳ）とを比較し、品質の高い伝送路Ｃをタイミングソースとして選択する。この時、伝送路Ｄには選択中のタイミングソースのＳＳＭコードであるＳＳＭコード＝１１００（ＱＬ−ＳＭＣ）を送信し、伝送路Ｇにはタイミングループを防ぐためＳＳＭコード＝１１１１（ＱＬ−ＤＵＳ）を送信する。
【００３９】
ノードＮＥ４では伝送路Ｄから受信したＳＳＭコード＝１１００（ＱＬ−ＩＮＶ１２）をＳＳＭコード＝１０１１（ＱＬ−ＳＥＣ）に変換した値と、マスタクロックＳからの外部クロック入力Ｈから受信したＳＳＭコード＝００１０（ＱＬ−ＰＲＣ）とを比較し、品質の高いマスタクロックＳをタイミングソースとして選択しようとする。この時、未だ伝送路Ｅにはタイミングループを防ぐためＳＳＭコード＝１１１１（ＱＬ−ＤＵＳ）が送信されている。
【００４０】
図１３は、マスタクロックＰに障害が発生しタイミングソースの切り替わった後のＳＳＭ変換を説明するための図を示す。同図中、ノードＮＥ４では伝送路Ｄから受信したＳＳＭコード＝１１００（ＱＬ−ＩＮＶ１２）をＳＳＭコード＝１０１１（ＱＬ−ＳＥＣ）に変換した値と、マスタクロックＳから受信したＳＳＭコード＝００１０（ＱＬ−ＰＲＣ）とを比較し、マスタクロックＳをタイミングソースとして選択する。この時、伝送路Ｅには選択中のタイミングソースのＳＳＭコードであるＳＳＭコード＝００１０（ＱＬ−ＰＲＳ）を送信する。
【００４１】
ノードＮＥ３では伝送路Ｅから受信したＳＳＭコード＝００１０（ＱＬ−ＩＮＶ２）をＳＳＭコード＝０００１（ＱＬ−ＰＲＳ）に変換した値と、伝送路Ｃから受信したＳＳＭコード＝１１１１（ＱＬ−ＤＵＳ）とを比較し、品質の高い伝送路Ｅをタイミングソースとして選択する。この時、伝送路Ｆには選択中のタイミングソースのＳＳＭコードであるＳＳＭコード＝０００１（ＱＬ−ＰＲＳ）を送信し、伝送路Ｄにはタイミングループを防ぐためＳＳＭコード＝１１１１（ＱＬ−ＤＵＳ）を送信する。
【００４２】
ノードＮＥ２では伝送路Ｆから受信したＳＳＭコード＝０００１（ＱＬ−ＩＮＶ１）をＳＳＭコード＝００１０（ＱＬ−ＰＲＣ）に変換した値と、伝送路Ｂから受信したＳＳＭコード＝１１１１（ＱＬ−ＤＮＵ）とを比較し、品質の高い伝送路Ｆをタイミングソースとして選択する。この時、伝送路Ｇには選択中のタイミングソースのＳＳＭコードであるＳＳＭコード＝００１０（ＱＬ−ＰＲＣ）を送信し、伝送路Ｃにはタイミングループを防ぐためＳＳＭコード＝１１１１（ＱＬ−ＤＮＵ）を送信する。
【００４３】
ノードＮＥ１では伝送路Ｇから受信したＳＳＭコード＝００１０（ＱＬ−ＰＲＣ）と、外部クロック入力Ａから受信したＳＳＭコード＝１１１１（ＱＬ−ＤＮＵ）とを比較し、品質の高い伝送路Ｇをタイミングソースとして選択する。この時、伝送路Ｂにはタイミングループを防ぐためＳＳＭコード＝１１１１（ＱＬ−ＤＮＵ）を送信する。
【００４４】
次に、ノード内でどのようにＳＳＭコードを変換しているかを具体的に説明する。図１４は、各ノード内の同期部の第１実施例のブロック図を示す。同図中、伝送路入力は帯域フィルタ１０に供給され、ここでクロックが抽出され、タイミングソース選択部１２に供給される。タイミングソース選択部１２は各伝送路から抽出されたクロックが供給されており、タイミングソース選択部１２は切り替え指示に基づいて、いずれか一つのクロックを選択してＰＬＬ回路１４に供給する。ＰＬＬ回路１４は供給されるクロックに同期した装置クロックを生成して図示しない後続回路に供給する。
【００４５】
Ｓ１バイト抽出部１６は伝送路入力の主信号（ＳＤＨまたはＳＯＮＥＴ）のＳＯＨ（Ｓｅｃｔｉｏｎ  Ｏｖｅｒ  Ｈｅａｄ）内のＳ１バイトの下位４ｂｉｔに付加されているＳＳＭコードを抽出する。抽出されたＳＳＭコードはＳＤＨ／ＳＯＮＥＴ変換部１８に供給され、図８に示す如き変換テーブルを用いて、ＳＤＨからＳＯＮＥＴへの、または、ＳＯＮＥＴからＳＤＨへの、ＳＳＭコードの変換を行う。図１１に示すネットワークでは、ＳＯＮＥＴ装置（ノードＮＥ３）とそれに隣接するＳＤＨ装置（ノードＮＥ２，ＮＥ４）に本実施例の同期部を適用してＳＳＭ変換を行う。なお、ノードＮＥ１ではＳＤＨ／ＳＯＮＥＴ変換部１８を持たない従来の同期部を使用する。
【００４６】
変換されたＳＳＭコードは品質比較部２０に供給され、ここで、他の伝送路から供給された主信号のＳＳＭコードと比較され、品質の最も高い伝送路の抽出クロックの選択するための切り替え指示が生成されて、タイミングソース選択部１２に供給される。また、Ｓ１バイト挿入部２２では伝送路出力の主信号（ＳＤＨまたはＳＯＮＥＴ）のＳＯＨ内のＳ１バイトの下位４ｂｉｔにＳＳＭコードを挿入する。
【００４７】
図１５は、各ノード内の同期部の第２実施例のブロック図を示す。同図中、図１４と同一部分には同一符号を付す。図１５において、伝送路入力は帯域フィルタ１０に供給され、ここでクロックが抽出され、タイミングソース選択部１２に供給される。タイミングソース選択部１２は各伝送路から抽出されたクロックが供給されており、タイミングソース選択部１２は切り替え指示に基づいて、いずれか一つのクロックを選択してＰＬＬ回路１４に供給する。ＰＬＬ回路１４は供給されるクロックに同期した装置クロックを生成して図示しない後続回路に供給する。
【００４８】
Ｓ１バイト抽出部１６は伝送路入力の主信号（ＳＤＨまたはＳＯＮＥＴ）のＳＯＨ（Ｓｅｃｔｉｏｎ  Ｏｖｅｒ  Ｈｅａｄ）内のＳ１バイトの下位４ｂｉｔに付加されているＳＳＭコードを抽出する。抽出されたＳＳＭコードはＳＤＨ／ＳＯＮＥＴ変換部１８に供給されると共にＳ１選択部２４に供給される。ＳＤＨ／ＳＯＮＥＴ変換部１８は、図８に示す如き変換テーブルを用いて、ＳＤＨからＳＯＮＥＴへの、または、ＳＯＮＥＴからＳＤＨへの、ＳＳＭコードの変換を行って変換したＳＳＭコードをＳ１選択部２４に供給する。
【００４９】
Ｓ１選択部２４は、ノード内の図示しない制御部（μ−ＣＯＭ）から切り替え指示信号を供給されており、抽出されたＳＳＭコードと変換したＳＳＭコードとのいずれか一方を選択して品質比較部２０に供給する。
【００５０】
図１１に示すネットワークでは、ＳＯＮＥＴ装置（ノードＮＥ３）とそれに隣接するＳＤＨ装置（ノードＮＥ２，ＮＥ４）におけるＳ１選択部２４は変換したＳＳＭコードを選択し、ノードＮＥ１におけるＳ１選択部２４は抽出されたＳＳＭコードを選択する。つまり、この実施例では、ＳＤＨ／ＳＯＮＥＴ変換機能が必要なノードと不必要なノードを共用化することができる。
【００５１】
変換されたＳＳＭコードは品質比較部２０に供給され、ここで、他の伝送路から供給された主信号のＳＳＭコードと比較され、品質の最も高い伝送路の抽出クロックの選択するための切り替え指示が生成されて、タイミングソース選択部１２に供給される。また、Ｓ１バイト挿入部２２では伝送路出力の主信号（ＳＤＨまたはＳＯＮＥＴ）のＳＯＨ内のＳ１バイトの下位４ｂｉｔにＳＳＭコードを挿入する。
【００５２】
図１６は、各ノード内の同期部の第３実施例のブロック図を示す。同図中、図１５と同一部分には同一符号を付し、その説明を省略する。この実施例では、Ｓ１選択部２４は、ディップ・スイッチ２６のオン／オフを切り替え指示信号として供給されている。Ｓ１選択部２４の切り替え設定は頻度が非常に低いので、制御部（μ−ＣＯＭ）の代わりにディップ・スイッチ２６を用いることで、制御部（μ−ＣＯＭ）のソフト・デバッグの手間を省区ことができる。
【００５３】
図１７は、各ノード内の同期部の第４実施例のブロック図を示す。同図中、図１５と同一部分には同一符号を付し、その説明を省略する。この第４実施例は、主信号からＳＤＨ，ＳＯＮＥＴを自動的に検出し、その情報によってＳ１選択部２４の切り替えを制御するものである。ＳＤＨ，ＳＯＮＥＴの検出は、ＳＯＨ内のポインタ（Ｈ１，Ｈ２バイト）にＣＩ（Ｃｏｎｃａｔｅｎａｔｉｏｎ  Ｉｎｄｉｃａｔｉｏｎ）表示があるかないかで容易に見分けることができる。
【００５４】
図１７において、ＣＩ検出部２８は、ＳＯＨ内のポインタにおけるＣＩ表示を検出する。そして、ＣＩ検出部２８の出力する検出情報によりＳ１選択部２４を制御する。図１８に検出情報とＳＳＭコードの変換有無との関係を示す。
【００５５】
ところで、ＳＤＨ／ＳＯＮＥＴ変換部１８の変換テーブルを、顧客が自由に設定できるようにすることが可能である。具体的には顧客に変換テーブルを作ってもらう。ＳＤＨからＳＯＮＥＴへの変換テーブルとして、原型を図１９（Ａ）に示すように設定しておく。この変換テーブルから顧客によって変更された変換テーブルの例を図１９（Ｂ）に示す。
【００５６】
この例では、変換テーブルの原型ではＱＬ−ＳＳＵ−ＡをＱＬ−ＳＴ２に変換し、ＱＬ−ＳＳＵ−ＢをＱＬ−ＳＴ３Ｅに変換する構成であったが、顧客の変更によってＱＬ−ＳＳＵ−ＡをＱＬ−ＴＮＣに変換し、ＱＬ−ＳＳＵ−ＢをＱＬ−ＳＴ３に変換する構成にされている。
【００５７】
ここで、ＳＤＨで定義されているＳＳＮコード数とＳＯＮＥＴで定義されているＳＳＭコード数は異なっており、図８に示すように、ＳＤＨのＳＳＭコードは６種類、ＳＯＮＥＴのＳＳＭコードは１０種類である。従って、ＳＳＭコードをＳＯＮＥＴからＳＤＨに変換し、その後、ＳＤＨからＳＯＮＥＴに変換すると、もとのＳＯＮＥＴのＳＳＭコードとは異なってしまうおそれがある。
【００５８】
Ｓ１バイトの構成は図２０に示すように、８ビットのうちＳＳＭコードはＳ１バイトの下位４ビットを用いて伝達され、上位４ビットは空きビットである。このため、本発明では、変換前のＳＳＭコードを、この上位４ビットの空きビットを使用して保持する。
【００５９】
図２１は、ＳＯＮＥＴネットワークにＳＤＨ装置（ＮＥ２）が混在した場合のＳＳＭ変換を説明するための図を示す。同図中、ＳＤＨ装置（ＮＥ２）は下位４ビットを対向するＳＯＮＥＴ装置（ＮＥ１，ＮＥ３）からのＳＳＭコードとして普通に変換を行い、ＳＳＭコード＝１０１０をＳＳＭコード＝１０００として処理するが、上位４ビットについては対向局に送信するＳ１バイトの上位４ビットにそのまま挿入する。
【００６０】
ＳＤＨ装置（ＮＥ２）と隣り合うＳＯＮＥＴ装置（ＮＥ１，ＮＥ３）では上位４ビットをＳＤＨ装置（ＮＥ２）からのＳＳＭコードとして処理する。このようにすればＳＯＮＥＴ装置のＳＳＭコードを完全に変換することができる。
【００６１】
このようにして、従来ＳＤＨ装置とＳＯＮＥＴ装置の間で実現できていなかったタイミングソースの切り替えが可能となり、ＳＤＨ装置とＳＯＮＥＴ装置が混在するネットワークにおいても同期網の確立が可能となる。
【００６２】
なお、ＳＤＨが請求項記載の第１方式に対応し、ＳＯＮＥＴが第２方式に対応し、ＳＤＨ／ＳＯＮＥＴ変換部１８が同期状態指示コード変換手段に対応し、Ｓ１選択部２４が選択手段に対応し、ディップ・スイッチ２６がスイッチ手段に対応し、ＣＩ検出部２８が切替指示手段に対応する。
【００６３】
（付記１）  同期網を確立するために用いる同期状態指示コードが互いに異なる第１方式のノード装置と第２方式のノード装置とが混在するネットワークの同期網確立方法であって、
異なる方式の隣接するノード装置から供給される同期状態指示コードを自装置の方式の同期状態指示コードに変換して同期網確立を行う
ことを特徴とする同期網確立方法。
【００６４】
（付記２）  同期網を確立するために用いる同期状態指示コードが互いに異なる第１方式または第２方式のノード装置と接続される第２方式または第１方式のノード装置であって、
前記第１または第２方式のノード装置から供給される同期状態指示コードを自装置の方式の同期状態指示コードに変換する同期状態指示コード変換手段を
有することを特徴とするノード装置。
【００６５】
（付記３）  付記２記載のノード装置において、
前記第１または第２方式のノード装置から供給される同期状態指示コードと  前記同期状態指示コード変換手段から供給される変換された同期状態指示コードとのいずれか一方を選択する選択手段を
有することを特徴とするノード装置。
【００６６】
（付記４）  付記３記載のノード装置において、
前記選択手段は、切り替え指示信号に従って切り替えを行うことを特徴とするノード装置。
【００６７】
（付記５）  付記３記載のノード装置において、
前記選択手段の切り替え指示を行うスイッチ手段を
有することを特徴とするノード装置。
【００６８】
（付記６）  付記３記載のノード装置において、
隣接するノード装置から供給される信号の所定ビットから前記信号が前記第１または第２方式のノード装置のいずれから供給されたかを検出し、前記選択手段の切り替え指示を行う切替指示手段を
有することを特徴とするノード装置。
【００６９】
（付記７）  付記２記載のノード装置において、
前記同期状態指示コード変換手段により変換する内容を、変更自在とした
ことを特徴とするノード装置。
【００７０】
（付記８）  付記１記載の同期網確立方法において、
異なる方式の隣接するノード装置から供給される変換前の同期状態指示コードを、変換後の同期状態指示コードの空きビットに保持して次の隣接するノード装置に供給する
ことを特徴とする同期網確立方法。
【００７１】
（付記９）  付記８記載の同期網確立方法において、
異なる方式の隣接するノード装置から供給される同期状態指示コードの前記空きビットに保持されている変換前の同期状態指示コードを用いて同期網確立を行う
ことを特徴とする同期網確立方法。
【００７２】
【発明の効果】
上述の如く、請求項１に記載の発明に記載の発明は、第１方式のネットワークまたは第２方式のネットワークに第２方式のノード装置または第１方式のノード装置を縦続接続して網同期を確立することができる。
【００７３】
また、請求項２に記載の発明によれば、第１方式のネットワークまたは第２方式のネットワークに第２方式または第１方式のノード装置を縦続接続して網同期を確立することができる。
【００７４】
また、請求項３に記載の発明は、第１方式のノード装置と第２方式のノード装置のいずれにも使用することができる。
【図面の簡単な説明】
【図１】基本的なＳＤＨネットワークの構築例を示す図である。
【図２】ＳＤＨネットワークがマスタクロックＳに同期した状態を示す図である。
【図３】伝送路Ｃの品質が低下してノードＮＥ２とノードＮＥ３のみにタイミングソースの切り替えが発生した状態を示す図である。
【図４】ＳＤＨとＳＯＮＥＴそれぞれのＳＳＭコードの定義を示す図である。
【図５】ＳＳＭディスエーブル機能とアシュームドＳＳＭ機能を説明するための図である。
【図６】ＳＤＨネットワークにＳＯＮＥＴ装置が混在した例を示す図である。
【図７】ＳＤＨ，ＳＯＮＥＴのＳＳＭコードの品質順位を示す図である。
【図８】本発明の品質レベルのグルーピングの一実施例を示す図である。
【図９】ＤＨ装置からＳＯＮＥＴ装置を介しＳＤＨ装置に至る変換機能のイメージを示す図である。
【図１０】ＳＯＮＥＴ装置からＳＤＨ装置を介しＳＯＮＥＴ装置に至る変換機能のイメージを示す図である。
【図１１】ＳＤＨネットワークにＳＯＮＥＴ装置（ＮＥ３）が混在した場合のＳＳＭ変換を説明するための図である。
【図１２】マスタクロックＰに障害が発生しタイミングソースが切り替わる途中のＳＳＭ変換を説明するための図である。
【図１３】マスタクロックＰに障害が発生しタイミングソースの切り替わった後のＳＳＭ変換を説明するための図である。
【図１４】各ノード内の同期部の第１実施例のブロック図である。
【図１５】各ノード内の同期部の第２実施例のブロック図である。
【図１６】各ノード内の同期部の第３実施例のブロック図である。
【図１７】各ノード内の同期部の第４実施例のブロック図である。
【図１８】検出情報とＳＳＭコードの変換有無との関係を示す図である。
【図１９】ＳＤＨ／ＳＯＮＥＴ変換部の変換テーブルを顧客が自由に設定できることを説明するための図である。
【図２０】Ｓ１バイトの構成を示す図である。
【図２１】ＳＯＮＥＴネットワークにＳＤＨ装置（ＮＥ２）が混在した場合のＳＳＭ変換を説明するための図である。
【符号の説明】
１０  帯域フィルタ
１２  タイミングソース選択部
１４  ＰＬＬ回路
１６  Ｓ１バイト抽出部
１８  ＳＤＨ／ＳＯＮＥＴ変換部
２０  品質比較部
２２  Ｓ１バイト挿入部
２４  Ｓ１選択部
２６  ディップ・スイッチ
２８  ＣＩ検出部
【図１】
2004194067.tif 000003
【図２】
2004194067.tif 000004
【図３】
2004194067.tif 000005
【図４】
2004194067.tif 000006
【図５】
2004194067.tif 000007
【図６】
2004194067.tif 000008
【図７】
2004194067.tif 000009
【図８】
2004194067.tif 000010
【図９】
2004194067.tif 000011
【図１０】
2004194067.tif 000012
【図１１】
2004194067.tif 000013
【図１２】
2004194067.tif 000014
【図１３】
2004194067.tif 000015
【図１４】
2004194067.tif 000016
【図１５】
2004194067.tif 000017
【図１６】
2004194067.tif 000018
【図１７】
2004194067.tif 000019
【図１８】
2004194067.tif 000020
【図１９】
2004194067.tif 000021
【図２０】
2004194067.tif 000022
【図２１】
2004194067.tif 000023